【事件の表示】
　平成１０年特許願第　９１３５５号「ＬＮＢコンバータの気密構造」拒絶査定不服審判事件〔平成１１年１０月１９日出願公開、特開平１１−２８９１７４〕について、次のとおり審決する。
【結　論】
　本件審判の請求は、成り立たない。
【理　由】
第１　手続の経緯 
　本願は、平成１０年４月３日の出願であって、平成１６年２月１９日付で拒絶の理由が通知され、平成１６年４月１６日付で手続補正がなされ、平成１６年１２月６日付で拒絶査定がなされ、これに対し、平成１７年１月１２日に拒絶査定不服審判の請求がなされるとともに、平成１７年１月１８日付で手続補正がなされたものである。 
　
第２　平成１７年１月１８日付の手続補正についての補正却下の決定 
【補正却下の決定の結論】 
　平成１７年１月１８日付の手続補正（以下、「本件補正」という。）を却下する。 
　　 
【決定の理由】
１．手続補正の内容 
　本件補正は、明細書の特許請求の範囲の記載について、本件補正前の特許請求の範囲における、
「【請求項１】　シャーシ部材と蓋部材とから内部の気密性を保持するように構成されたＬＮＢコンバータの気密構造において、前記蓋部材の外周部分に溝部を設け、前記溝部にシール剤を配置した後に硬化させてシール部材を設け、該シール部材を介して前記蓋部材の溝部に挿入されるリブを前記シャーシ部材の側面外周端部に突出するように設け、さらに前記シャーシ部材と前記蓋部材とを係合して固定する係合部を設けたことを特徴とするＬＮＢコンバータの気密構造。
【請求項２】　前記シャーシ部材と前記蓋部材とを係合する係合部として、前記シャーシ部材に複数の爪部を側面に設け、該爪部に係合する複数の穴部を前記蓋部材の側面に設けたことを特徴とする請求項１に記載のＬＮＢコンバータの気密構造。
【請求項３】　前記シャーシ部材と前記蓋部材とを係合する係合部として、前記シャーシ部材の一部に係合して固定する折り曲げ自在な複数の爪部を前記蓋部材の側面に設けたことを特徴とする請求項１に記載のＬＮＢコンバータの気密構造。
【請求項４】　前記シャーシ部材と前記蓋部材とを係合する係合部として、前記シャーシ部材の一部に係合して固定する弾力性を有する突起状爪部を前記蓋部材の側面に設けたことを特徴とする請求項１に記載のＬＮＢコンバータの気密構造。
【請求項５】　前記シャーシ部材と前記蓋部材とを係合する係合部として、前記蓋部材の側面に複数のフクリンを設け、該フクリンに係合する複数の溝部を前記シャーシ部材の側面に設けたことを特徴とする請求項１に記載のＬＮＢコンバータの気密構造。
【請求項６】　前記シャーシ部材と前記蓋部材とを係合する係合部として、前記シャーシ部材のリブの外周寸法と前記蓋部材の溝部の外側の壁の内周寸法とをほぼ同寸法し、前記蓋部材の溝部に前記シャーシ部材のリブを圧入することによりこれらを固定することを特徴とする請求項１に記載のＬＮＢコンバータの気密構造。」
　との記載を、
「【請求項１】　シャーシ部材と蓋部材とから内部の気密性を保持するように形成されたＬＮＢコンバータの気密構造において、
　前記蓋部材の外周部分に溝部が形成され、
　前記溝部にシール剤を配置した後に硬化させたシール部材と、
　前記シール部材を介して前記溝部に挿入され、前記シャーシ部材の側面の外周端部に突出するように形成されたリブと、
　前記シャーシ部材と前記蓋部材とを係合して固定する係合部と
を備え、
　前記係合部は、前記シャーシ部材の側面に配置された複数の爪部と、
　前記蓋部材の側面に配置され、前記爪部に係合する複数の穴部と
を含む、ＬＮＢコンバータの気密構造。
【請求項２】　シャーシ部材と蓋部材とから内部の気密性を保持するように形成されたＬＮＢコンバータの気密構造において、
　前記蓋部材の外周部分に溝部が形成され、
　前記溝部にシール剤を配置した後に硬化させたシール部材と、
　前記シール部材を介して前記溝部に挿入され、前記シャーシ部材の側面の外周端部に突出するように形成されたリブと、
　前記シャーシ部材と前記蓋部材とを係合して固定する係合部と
を備え、
　前記係合部は、前記蓋部材の側面に配置され、前記シャーシ部材の一部に係合して固定する折り曲げ自在な複数の爪部を含む、ＬＮＢコンバータの気密構造。
【請求項３】　シャーシ部材と蓋部材とから内部の気密性を保持するように形成されたＬＮＢコンバータの気密構造において、
　前記蓋部材の外周部分に溝部が形成され、
　前記溝部にシール剤を配置した後に硬化させたシール部材と、
　前記シール部材を介して前記溝部に挿入され、前記シャーシ部材の側面の外周端部に突出するように形成されたリブと、
　前記シャーシ部材と前記蓋部材とを係合して固定する係合部と
を備え、
　前記係合部は、前記蓋部材の側面に配置され、前記シャーシ部材の一部に係合して固定する弾力性を有する突起状爪部を含む、ＬＮＢコンバータの気密構造。
【請求項４】　シャーシ部材と蓋部材とから内部の気密性を保持するように形成されたＬＮＢコンバータの気密構造において、
　前記蓋部材の外周部分に溝部が形成され、
　前記溝部にシール剤を配置した後に硬化させたシール部材と、
　前記シール部材を介して前記溝部に挿入され、前記シャーシ部材の側面の外周端部に突出するように形成されたリブと、
　前記シャーシ部材と前記蓋部材とを係合して固定する係合部と
を備え、
　前記係合部は、前記蓋部材の側面に配置された複数のフクリンと、
　前記シャーシ部材の側面に配置され、前記フクリンに係合する複数の溝部とを含む、ＬＮＢコンバータの気密構造。
【請求項５】　シャーシ部材と蓋部材とから内部の気密性を保持するように形成されたＬＮＢコンバータの気密構造において、
　前記蓋部材の外周部分に溝部が形成され、
　前記溝部にシール剤を配置した後に硬化させたシール部材と、
　前記シール部材を介して前記溝部に挿入され、前記シャーシ部材の側面の外周端部に突出するように形成されたリブと、
　前記シャーシ部材と前記蓋部材とを係合して固定する係合部と
を備え、
　前記係合部は、前記シャーシ部材のリブの外周寸法と前記蓋部材の溝部の外側の壁の内周寸法とをほぼ同寸法し、前記蓋部材の溝部に前記シャーシ部材のリブを圧入することによりこれらを固定するように形成された、ＬＮＢコンバータの気密構造。」
　とする補正を含むものである。
　
２．本件補正の適否
　本件補正の内容は、補正前の請求項１を削除し、補正前に請求項１を引用し従属形式で記載されていた請求項２から請求項６を、補正後、請求項１から請求項５として繰り上げ、独立形式で記載し直すとともに、さらに、以下（１）（２）の補正を含むものである。
　
（１）補正前の請求項１における「蓋部材の外周部分に溝部を設け、前記溝部にシール剤を配置した後に硬化させてシール部材を設け、該シール部材を介して前記蓋部材の溝部に挿入されるリブを前記シャーシ部材の側面外周端部に突出するように設け」なる記載を、補正後新たな請求項１から請求項５において、独立形式で記載し直す際に、「蓋部材の外周部分に溝部が形成され、前記溝部にシール剤を配置した後に硬化させたシール部材と、前記シール部材を介して前記溝部に挿入され、前記シャーシ部材の側面の外周端部に突出するように形成されたリブと、・・・を備え」とする補正
　
（２）補正前の請求項２から請求項５における、「シャーシ部材と蓋部材とを係合する係合部」を構成する部材の記載に関し、補正前は、該部材を限定的に記載し、特定していたのに対し、補正後の新たな請求項１から請求項４では、補正前に特定していた該部材を「含む」ものとする補正、すなわち、（ａ）補正前の請求項２における、「前記シャーシ部材と前記蓋部材とを係合する係合部」として、「前記シャーシ部材に複数の爪部を側面に設け」、「該爪部に係合する複数の穴部を前記蓋部材の側面に設けた」との記載を、補正後の請求項１において、「前記シャーシ部材と前記蓋部材とを係合して固定する係合部」は、「前記シャーシ部材の側面に配置された複数の爪部」と、「前記蓋部材の側面に配置され、前記爪部に係合する複数の穴部」とを「含む」とする補正、
（ｂ）補正前の請求項３における、「前記シャーシ部材と前記蓋部材とを係合する係合部」として、「前記シャーシ部材の一部に係合して固定する折り曲げ自在な複数の爪部を前記蓋部材の側面に設けた」との記載を、補正後の請求項２において、「前記シャーシ部材と前記蓋部材とを係合して固定する係合部」は、「前記蓋部材の側面に配置され、前記シャーシ部材の一部に係合して固定する折り曲げ自在な複数の爪部」を「含む」とする補正、
（ｃ）補正前の請求項４における、「前記シャーシ部材と前記蓋部材とを係合する係合部」として、「前記シャーシ部材の一部に係合して固定する弾力性を有する突起状爪部を前記蓋部材の側面に設けた」との記載を、補正後の請求項３において、「前記シャーシ部材と前記蓋部材とを係合して固定する係合部」は、「前記蓋部材の側面に配置され、前記シャーシ部材の一部に係合して固定する弾力性を有する突起状爪部」を「含む」とする補正、
（ｄ）補正前の請求項５における、「前記シャーシ部材と前記蓋部材とを係合する係合部」として、「前記蓋部材の側面に複数のフクリンを設け、該フクリンに係合する複数の溝部を前記シャーシ部材の側面に設けた」との記載を、補正後の請求項４において、「前記シャーシ部材と前記蓋部材とを係合して固定する係合部」は、「前記蓋部材の側面に配置された複数のフクリンと、前記シャーシ部材の側面に配置され、前記フクリンに係合する複数の溝部」とを「含む」とする補正
　
　以下、本件補正の適否について検討する。
　（１）の補正について、補正前は、リブのシール部材を介しての溝部への挿入は「シール部材」の硬化後に行われるものであったのに対し、補正後は、「シール部材」の硬化の前後を問わないものとなったため、溝部におけるシール部材とリブの配置構造として、補正後は、リブが硬化していないシール剤中に浸った状態で挿入され、その後硬化されてなる構造のものも包含されることとなった。
　してみると、当該補正は、特許請求の範囲を拡張するものであって、請求項の削除、特許請求の範囲の限定的減縮、誤記の訂正、明りょうでない記載の釈明のいずれにも該当しないことは明らかである。
　
　（２）の補正について、補正後の「含む」なる記載は、係合部を構成する部材の範囲を拡張するものであるから、当該補正は、特許請求の範囲を拡張するものであって、請求項の削除、特許請求の範囲の限定的減縮、誤記の訂正、明りょうでない記載の釈明のいずれにも該当しないことは明らかである。
　
３．小括
　以上のとおり、本件補正は、特許法第１７条の２第４項の第１号ないし第４号に掲げる事項を目的とするものではないから、特許法第１５９条第１項において読み替えて準用する同法第５３条第１項の規定により却下されるべきものである。
　
第３　本願発明についての審決
１．本願発明
　平成１７年１月１８日付けの手続補正は、上記のとおり却下すべきものであるから、本願の請求項１〜６に係る発明は、平成１６年４月１６日付けで補正された明細書の特許請求の範囲の請求項１〜６に記載された事項により特定されるとおりのものであるところ、その請求項１に係る発明（以下、「本願発明」という。）は次のとおりである。
　
「【請求項１】　シャーシ部材と蓋部材とから内部の気密性を保持するように構成されたＬＮＢコンバータの気密構造において、前記蓋部材の外周部分に溝部を設け、前記溝部にシール剤を配置した後に硬化させてシール部材を設け、該シール部材を介して前記蓋部材の溝部に挿入されるリブを前記シャーシ部材の側面外周端部に突出するように設け、さらに前記シャーシ部材と前記蓋部材とを係合して固定する係合部を設けたことを特徴とするＬＮＢコンバータの気密構造。」
　
２．原査定の理由の概要
　原審における拒絶査定の理由の概要は、本願の請求項１〜６に係る発明は、その出願前日本国内又は外国において頒布された刊行物１〜１０に記載された発明に基づいて、その出願前にその発明の属する技術の分野における通常の知識を有する者が容易に発明をすることができたものであるから、特許法第２９条第２項の規定により特許を受けることができない、というものである。　
　
３．刊行物及び刊行物の主な記載事項
  原査定の拒絶の理由に引用された刊行物のうち、刊行物１（特開平７−３９０４３号公報）及び、刊行物３（特開平９−２４０７１７号公報）には、次の事項が記載されている。
　
３−１．刊行物１（特開平７−３９０４３号公報）
（１ａ）「【請求項１】　電気接続箱本体に防水カバーを被せて、該防水カバーのパッキン溝内に充填したパッキンを、上記電気接続箱本体のパッキン接触部に圧接させる電気接続箱のパッキン構造において、
　上記防水カバーのパッキン溝内に充填されるパッキン材は、パッキン溝内に直接注入される液状のパッキン材を硬化させたものからなることを特徴とする電気接続箱のパッキン構造。」（特許請求の範囲、請求項１）
　
（１ｂ）「【発明が解決しようとする課題】・・・・また、パッキン６を治具に嵌め込み、その後、パッキン溝４ａに挿入する作業は、人手に頼るため、パッキンの挿入不足等によりシール性能が不安定になる。
　本発明は上記問題を解消するためになされたもので、製造コストが安価で、作業人員が削減でき、かつシール性能が安定した電気接続箱のパッキン構造および該パッキンの形成方法を提供することを目的とするものである。」（【０００５】、【０００６】）
　
３−２．刊行物３（特開平９−２４０７１７号公報）
（３ａ）「【請求項１】　一方の施錠手段を一方の対向側面に備えかつ下端に環状のパツキンを嵌挿した周溝を穿設した蓋体と、他方の施錠手段を対向側面に前記蓋体側の施錠手段と係止可能に備えた本体とから成り、前記蓋体の周溝を前記本体の開口周部に嵌合し、次いで前記一方および他方の施錠手段を係合して封止するように成した防水箱の密封構造において、
前記開口周部が、他方の対向側面に沿って、両端部から中央部分にかけて弓なりに徐々に高さを増加する山形部分を形成していることを特徴とする防水箱の密封構造。」（特許請求の範囲、請求項１）
　
（３ｂ）「本発明の目的は、防水箱の本体と蓋体との嵌合時に発生する密封圧力を全周において均一に作用せしめ、完全な密封状態を確保することが可能な防水箱の密封構造を提供することにある。」（【０００６】）
　
（３ｃ）「【実施例】
　図１は、本発明による防水箱１の本体２と蓋体３を略示する斜視図で、図２は、本体２と蓋体３が嵌合された状態を図１の矢印ＩＩ−ＩＩから見た部分断面図を示す。図１および図２において、防水箱１は長方形平面の直方体形状の本体２、蓋体３およびパツキン６から構成される。本体２は本発明による密封構造の明確な効果が認められる形状である長さが幅に比してかなり長い矩形平面を備えた直方体形状の箱を例にして説明しており、長手方向に対して交差する対向短辺の側面ａの上方部には本体側の施錠手段４ｂおよび上方開口端周囲には実質的に嵌合突出部を形成している開口周部２ａを備えている。
　この開口周部２ａは本体２の長手方向側面ｂの上縁部に沿って両端から中央に向かって徐々に弓なりに盛り上がる山形部分２ｂ（図３の正面図参照）を連成すべく高さが徐々に増加されており、二次曲線を即ちゆるやかな放物線を描いており、この高さの変位量はＤで示される。」（【００１４】、【００１５】）
　
４．当審の判断 
（１）刊行物３記載の発明
　刊行物３には、（３ａ）によれば、「一方の施錠手段を一方の対向側面に備えかつ下端に環状のパツキンを嵌挿した周溝を穿設した蓋体と、他方の施錠手段を対向側面に前記蓋体側の施錠手段と係止可能に備えた本体とから成り、前記蓋体の周溝を前記本体の開口周部に嵌合し、次いで前記一方および他方の施錠手段を係合して封止するように成した防水箱の密封構造」が記載されているといえる。
  そして、蓋体の一方の対向側面に備えられた一方の施錠手段と、蓋体側の施錠手段と係止可能に本体の対向側面に備えた他方の施錠手段とは、係合して前記蓋体と前記本体を封止するものであるから、これらは、「前記本体と前記蓋体とを係合して封止する係合部」と言い換えることができるものといえる。
　また、（３ｃ）の「本体２は・・・・長手方向に対して交差する対向短辺の側面ａの・・・上方開口端周囲には実質的に嵌合突出部を形成している開口周部２ａを備えている。」との記載によれば、本体の対向短辺の側面の開口端周囲には嵌合突出部を形成している開口周部が設けられているといえるし、図１において長手方向側面の上縁部においても嵌合突出部が形成されていること、及び、（３ｃ）の「この開口周部２ａは本体２の長手方向側面ｂの上縁部に沿って両端から中央に向かって徐々に弓なりに盛り上がる山形部分２ｂ（図３の正面図参照）を連成すべく高さが徐々に増加されており」との記載によれば、本体の長手方向側面の開口端周囲にも嵌合突出部を形成している開口周部が設けられているといえるから、本体の全側面の開口端周囲には嵌合突出部を形成している開口周部が設けられているといえる。
　そして、（３ｂ）の記載からも明らかなように、上記密封構造が「完全な密封状態の確保」、すなわち、「密封性の保持」を目的とすることは明らかである。　
　
　以上の記載及び認定事項を本願発明の記載ぶりに則り整理すると、刊行物３には、次の発明が記載されている。
　
「本体と蓋体とから内部の密封性を保持するように構成された防水箱の密封構造において、前記蓋体に周溝を設け、前記周溝にパッキンを嵌挿することにより設け、該パッキンを介して前記蓋体の周溝に嵌合する嵌合突出部を形成している開口周部を前記本体の側面の開口端周囲に設け、さらに前記本体と前記蓋体とを係合して封止する係合部を設けた防水箱の密封構造。」（以下、「引用発明」という。）
　
（２）本願発明と引用発明との対比
　引用発明の「本体」、「蓋体」、「（蓋体に）周溝を設け」、「（本体の）側面の開口端周囲」、「嵌合突出部を形成している開口周部」は、それぞれ、本願発明の「シャーシ部材」、「蓋部材」、「（蓋部材の）外周部分に溝部を設け」、「（シャーシ部材の）側面外周端部」、「リブ」に相当するものであり、また、引用発明の「嵌合する」、「封止する」は、それぞれ、本願発明の「挿入する」、「固定する」に言い換えることができるものといえる。
　また、引用発明における「パッキン」は、シール機能を有するものであるから、本願発明における「シール部材」に相当するものといえる。
　また、引用発明に係る「密封性」を有する「密封構造」は、シール部材であるパッキンにより封止したものであるから、本願発明に係る「気密性」を有する「気密構造」に相当するものといえる。
　そこで、本願発明と引用発明とを対比すると、本願発明と引用発明とは、「シャーシ部材と蓋部材とから内部の気密性を保持するように構成された気密構造において、前記蓋部材の外周部分に溝部を設け、前記溝部にシール部材を設け、該シール部材を介して前記蓋部材の溝部に挿入されるリブを前記シャーシ部材の側面外周端部に突出するように設け、さらに前記シャーシ部材と前記蓋部材とを係合して固定する係合部を設けた気密構造。」である点において一致し、次の点において相違する。
　
　相違点イ：本願発明では、「溝部にシール剤を配置した後に硬化させてシール部材」を設けるのに対し、引用発明では、「溝部にシール部材を嵌挿することにより」設ける点
　
　相違点ロ：本願発明は、「ＬＮＢコンバータの気密構造」に関するものでであるのに対し、引用発明は、「防水箱の気密構造」に関するものである点　
（３）相違点についての判断 
　
（３−１）相違点イについて
　刊行物１には、（１ａ）、（１ｂ）によれば、電気接続箱本体に防水カバーを被せて、該防水カバーのパッキン溝内に充填したパッキンを、上記電気接続箱本体のパッキン接触部に圧接させる電気接続箱のパッキン構造において、シール性能が安定した電気接続箱のパッキン構造の提供を目的として、上記防水カバーのパッキン溝内に充填されるパッキン材は、パッキン溝内に直接注入される液状のパッキン材を硬化させたものとすることが記載されているといえる。
　そして、刊行物３及び刊行物１に記載された技術的事項が、いずれも、蓋体と本体とパッキンから構成される防水箱の防水構造や電気接続箱のパッキン構造を包含する箱体構造における密封性の確保（シール性能の安定化）という共通の技術課題を解決するためになされた密封技術に関するものであるから（（１ｂ）（３ｂ））、引用発明において、蓋の溝部に挿入されるパッキンに代えて、液状のパッキン材を直接注入し、該液状のパッキン材を硬化させてパッキン材を形成することは、当業者であれば容易に想到し得たものといえる。
 　　
（３−２）相違点ロについて
　本願出願時において、シャーシ部材と蓋部材から構成されるＬＮＢコンバータ自体が周知であり、また、かかるＬＮＢコンバータは気密性が求められることも技術常識であるから、気密性を有することが明らかである、引用発明や刊行物１に記載された、蓋と本体とパッキンからなる箱体構造の密封技術をＬＮＢコンバータに適用することは、当業者であれば容易に想到し得るものと認められる。
　
（４）小括
　以上のとおりであるから、本願発明は、引用発明、刊行物１に記載された発明及び周知技術に基づいて当業者が容易に発明をすることができたものである。
　
５．むすび
　したがって、本願発明は、特許法第２９条第２項の規定により特許を受けることができないものであるから、その余の発明について検討するまでもなく、本願は、拒絶すべきでものである。 
　
　よって、結論のとおり審決する。